(57)【特許請求の範囲】
【請求項１】
耐力壁（Ｗ）部では、外断熱複合パネル（Ｐ０）を外壁枠に用いてコンクリート壁型枠（Ｍ１）を形成し、耐力壁（Ｗ）部間の開口部（Ｒ）では、アンカー片（３ｄ，４ｄ）を備えた取付金具（３，４）を床スラブ（Ｓ）型枠（Ｍ２）の前端部に組み込み、帳壁用外断熱複合パネル（Ｐ）の下枠（５ｂ）及び上枠（５ａ）を上下床スラブの取付金具（３，４）に係止した状態で床スラブ型枠（Ｍ２）及び耐力壁型枠（Ｍ１）にコンクリート打設し、外断熱複合パネル（Ｐ）のみの帳壁（Ｒｗ）を外断熱複合パネル（Ｐ０）を備えた耐力壁（Ｗ）と同時に形成する、鉄筋コンクリート造壁式構造の外断熱建築物に於ける外壁形成方法。
【請求項２】
帳壁（Ｒｗ）は、外断熱複合パネル（Ｐ）の下枠（５ｂ）を既に固化した下階の床スラブ（Ｓ）と一体固定の取付金具（３，４）に係止してパネル（Ｐ）を立設固定すると共に、該パネル（Ｐ）の上枠（５ａ）に係止した取付金具（３，４）を上階の床スラブ（Ｓ）の型枠（Ｍ２）に組み込み、上階の床スラブ型枠（Ｍ２）及び耐力壁型枠（Ｍ１）へのコンクリート打設によって、耐力壁複合パネル（Ｐ０）と同時に取付ける請求項１の外壁形成方法。
【請求項３】
帳壁（Ｒｗ）の、各外断熱複合パネル（Ｐ）の取付金具間（Ｌｓ）での上下間隙（ｄ２）、耐力壁（Ｗ）の各外断熱複合パネル（Ｐ０）上下間隙（ｄ２）、及び帳壁複合パネル（Ｐ）と耐力壁複合パネル（Ｐ０）の間隙（２ｇ）での各断熱層（Ｐｂ）間には、床スラブ型枠（Ｍ２）及び耐力壁型枠（Ｍ１）の組み立て時に、各パネル（Ｐ，Ｐ０）の断熱層（Ｐｂ）厚と同幅の断熱材（２ａ，２ｂ）を介在させる請求項１又は２の外壁形成方法。
【請求項４】
床スラブ型枠（Ｍ２）組み立て時に、帳壁（Ｒｗ）部では、取付金具（４）の取付プレート（４ａ）下面と複合パネル上枠（５ａ）上面との間に抜去可能の飼木（２０）を介在させて取付プレート上面（４ｆ）を取付金具間（Ｌｓ）での断熱材（２ａ）上面と面一とし、取付プレート上面（４ｆ）から断熱材（２ａ）上面に亘って型板（７ｂ）を載置する請求項１乃至３のいずれか１項の外壁形成方法。
【請求項５】
型板（７ｂ）を、上面が床スラブ上面（Ｓｆ）から若干突出し、且つ下面が床スラブ上面（Ｓｆ）より小段差（ｄ１）下方とする請求項４の外壁形成方法。
【請求項６】
連結ピン（６）を型板（７ｂ）上方から複合パネル上枠（５ａ）に螺入固定して取付金具（４）を床スラブ型枠前端に組み込み、床スラブのコンクリート打設後に飼木（２０）及び型板（７ｂ）を抜去する請求項４又は５の外壁形成方法。
【請求項７】
飼木（２０）は、内端面（２０ｅ）から中央部までの連結ピン（６）抜去用の切込溝（２０ｓ）を形成しておき、取付プレート（４ａ）と上枠（５ａ）間に挿入して連結ピン（６）に前方から嵌合した後、内端面（２０ｅ）で切込溝（２０ｓ）を破断容易な粘着テープ等の閉止片で閉止して型枠組みする請求項４乃至６のいずれか１項の外壁形成方法。
【請求項８】
開口部（Ｒ）では、複合パネル（Ｐ）の下枠（５ｂ）は床スラブ（Ｓ）と一体化固定された取付金具（３，４）の取付プレート（４ａ，４ｂ）に、上枠（５ａ）は床スラブ型枠（Ｍ２）に組み込んだ取付金具（４）の取付プレート（４ａ）に連結ピン（６）を介して係止すると共に、該パネル（Ｐ）の上枠（５ａ）には支持片着脱用長ナット（２２ｂ）を備えた全体厚さ（２２ｈ）が小さい平板金具（２２）を取付け、該平板金具（２２）を介して支持片により該パネル（Ｐ）を立設状態に仮固定する請求項１乃至７のいずれか１項の外壁形成方法。
【請求項９】
耐力壁（Ｗ）部の並設複合パネル（Ｐ０）接合部は、断熱層（Ｐｂ）相互が当接する継目線（Ｌｂ）を、セメント板（Ｐａ´）相互の継目線（Ｌａ）からずらして一方のセメント板（Ｐａ´）内面に当接させる請求項１乃至８のいずれか１項の外壁形成方法。
【請求項１０】
帳壁複合パネル（Ｐ）及び耐力壁複合パネル（Ｐ０）の上端面（Ｂｔ，Ｂｔ´）及び下端面（Ｂｅ，Ｂｅ´）を面一に、且つ、両パネル下端面（Ｂｅ，Ｂｅ´）を床スラブ上面（Ｓｆ）より若干（ｄ１）下方で面一に設置する請求項１乃至９のいずれか１項の外壁形成方法。
【請求項１１】
耐力壁（Ｗ）の壁型枠（Ｍ１）は、両側の型板（７ｓ）を帳壁複合パネル（Ｐ）の側端部内面に当接形成し、耐力壁コンクリート（Ｗｃ）で帳壁複合パネル（Ｐ）と耐力壁複合パネル（Ｐ０）の境界部を密閉する請求項１乃至１０のいずれか１項の外壁形成方法。
【請求項１２】
アンカー片（４ｄ）を備えた取付プレート（４ａ）と連結ピン（６）とを含み、取付プレート（４ａ）が水平鋼板プレートの前部両側に連結ピン孔（Ｈ２）を備え、後部中央に大径孔（Ｈｍ）を備えると共に、後部下面からアンカー片（４ｄ）を屈曲突出しており、連結ピン（６）が全ねじボルトである、複合パネル取付金具。
【請求項１３】
平板部材（２２ａ）と締着用ボルト（２３）とから成り、平板部材（２２ａ）には、前部上面に長ナット（２２ｂ）を前後方向に、且つ、長ナット（２２ｂ）下面が平板部材下面（２２ｕ）と面一となるように埋設付設し、金具厚（２２ｈ）が上下壁パネル間隙（ｄ２）に納まる寸法である、複合パネル（Ｐ）上端（５ａ）仮固定用の平板金具。
【発明の詳細な説明】
【０００１】
【産業上の利用分野】
本発明は、鉄筋コンクリート造壁式構造の外断熱建築物の建築に於ける外壁形成方法、及びそれに用いる金具に関するものであり、詳しくは、鉄筋コンクリート造壁式構造の中低層外断熱建築物（３〜９階）に於いて、押出成形セメント板と断熱層と石膏ボード等の内装材とを一体化積層した外断熱乾式密着型の複合パネルを帳壁とし、押出成形セメント板と断熱層とを一体化した外断熱乾式密着型の複合パネルをコンクリート壁外枠に用いてコンクリート壁と一体化固定して耐力壁とする外壁形成技術に関するものであって、鉄筋コンクリート建築の分野に属するものである。
【０００２】
【従来の技術】
従来の外断熱の鉄筋コンクリート造壁式構造建築物にあっては、外壁は、図１１（Ａ）に示す如く、（イ）外装材、通気層、断熱材をコンクリート壁外側に形成する通気層型、（ロ）外装材、断熱材をコンクリート壁外側に形成する密着型、（ハ）外装材、断熱材、密閉空気層をコンクリート壁外側に形成する密閉空気層型、（ニ）外装材、保護壁、断熱材をコンクリート壁外側に形成する二重壁型の各タイプがある。
【０００３】
図１１（Ｂ）は、上記（ロ）の密着型の外壁形成説明図であって、セメント板Ｐａ´と断熱層Ｐｂとを一体化した外断熱複合パネルＰ０を外型枠とし、内側の型枠合板７ａと複合パネルＰ０内面との間に壁用鉄筋を配筋し、慣用の、縦端太１６ａ、横端太１６ｂ、セパレータ９、ＫＰコン１０、軸足１１、フォームタイ１２、リブ座金１３、ナット１４、断熱アンカー２７等により壁型枠組みして、コンクリート打設し、外側の複合パネルＰ０とコンクリート壁とを一体化した外断熱外壁を形成している。
【０００４】
即ち、従来の外断熱の鉄筋コンクリート造壁式構造建築物での外壁は、使用する外断熱複合パネルに差はあっても、外壁は全て鉄筋コンクリートに壁パネルを一体化するものであり、鉄筋コンクリート造壁式構造の外壁にあっては、強度計算上耐力壁となる部分も、耐力壁と計算されない部分も、全て鉄筋コンクリート打設している。
【０００５】
【発明が解決しようとする課題】
従来の鉄筋コンクリート造壁式構造の建築物にあっては、内断熱タイプ、外断熱タイプを問わず、外壁は、耐力壁部も非耐力壁部も全てコンクリート壁であるため、外壁全てにコンクリート型枠工を必要とし、特に、複合パネルを外型枠に組込む壁式構造の外断熱鉄筋コンクリート造建築物にあっては、複合パネルの型枠組み付けの煩雑、且つ困難さのため、建築施工コスト中に占める型枠工の比率が高く、結果として、壁式構造の鉄筋コンクリート造建築物にあっては、外断熱建築物は内断熱建築物より建築コストが大幅に高く（２００１年時点で３０〜３５％高）、鉄筋コンクリート造壁式構造に於ける外断熱建築物の普及の阻害要因となっていた。
【０００６】
本発明は、壁式構造の鉄筋コンクリート造建築物に於いて、耐力壁部以外の外壁部分は、全てコンクリート打設を排除して単なる外断熱複合パネルのみで帳壁を形成し、外壁全てを外断熱複合パネルのみの帳壁部と、外断熱複合パネルを外側に備えた耐力壁部とで好都合に形成出来る技術の開発に成功したものであり、鉄筋コンクリート造壁式構造の外断熱建築物を画期的な低コストで提供可能とするものである。
【０００７】
【課題を解決するための手段及び作用】
本発明は、耐力壁Ｗ部では、外断熱複合パネルＰ０を外壁枠に用いてコンクリート壁型枠Ｍ１を形成し、耐力壁Ｗ部間の開口部Ｒでは、アンカー片３ｄ，４ｄを備えた取付金具３，４を床スラブＳ型枠Ｍ２の前端部に組み込み、帳壁用外断熱複合パネルＰの下枠５ｂ及び上枠５ａを上下床スラブの取付金具３，４に係止した状態で床スラブ型枠Ｍ２及び耐力壁型枠Ｍ１にコンクリート打設し、外断熱複合パネルＰのみの帳壁Ｒｗを外断熱複合パネルＰ０を備えた耐力壁Ｗと同時に形成するものである（請求項１）。
尚、帳壁に用いる外断熱複合パネルＰ自体は建物の外壁としての強度が必要であり、耐力壁Ｗに用いる複合パネルＰ０自体が必要強度を備えたものであれば、帳壁ＲｗのパネルＰと耐力壁ＷのパネルＰ０に同一パネルの適用が可能である。
【０００８】
また、床スラブＳと該床スラブＳ前端部から下方に連なる耐力壁Ｗとは同時にコンクリート打設するため、取付金具３，４は床スラブＳの型枠Ｍ２に組み込んだ状態で帳壁Ｒｗのパネル上枠５ａを係止保持すれば帳壁パネルＰが耐力壁Ｗと同時に取付け出来るので、取付金具３，４は、床スラブへの固定用のアンカー片３ｄ，４ｄと複合パネルＰのの下枠５ｂ及び上枠５ａを係止する取付部を具備しておれば良く、取付部がアンカー片と一体の図９（Ａ）のタイプでも、別体の取付プレート４ａをアンカー片を備えたプレート受３上に溶接固定する図９（Ｂ）のタイプでも良い。
尚、帳壁のパネルＰは、床スラブＳのコンクリートの打設から固化まで立設状態を保持する必要があるが、取付金具３，４のみでの仮固定が不十分な場合は、慣用の鳥居型枠組足場等を利用した仮固定で良く、或いは耐力壁Ｗの外型枠としての耐力壁複合パネルＰ０と一体的に支持固定しても良い。
勿論、上下各取付金具３，４を各床スラブ型枠Ｍ２に組み込んだ状態で張壁用複合パネルＰを耐力壁型枠Ｍ１と共に立設仮固定して、複数階の床スラブＳ及び耐力壁Ｗの同時コンクリート打設により施工効率を上げることも、複数階高の帳壁複合パネルＰ及び耐力壁複合パネルＰ０を用いて施工効率を上げることも可能である。
【０００９】
従って、本発明によれば、帳壁Ｒｗ部ではコンクリート壁が存在しないために外壁の型枠組みが大幅に削減出来、従来の型枠工に比べて型枠使用量及び作業量が大幅に低減出来、建築コストの大幅低減が可能となる。この場合、耐力壁Ｗを厚くして壁長を合理化すれば型枠工のより一層の合理化及びコストダウンが期待出来る。
また、耐力壁Ｗの複合パネルＰ０と帳壁Ｒｗの複合パネルＰは壁コンクリートの打設前に同時に型枠工で横並びに立設保持するため、パネル相互間の位置調整も可能であり、壁コンクリート打設によって帳壁Ｒｗが耐力壁Ｗと同時に形成されるため、帳壁ＲｗのパネルＰと耐力壁ＷのパネルＰ０との関係、及び帳壁のパネルＰ相互の関係が連結良く、寸法歪なく、きれいに仕上がる。
【００１０】
また、各階毎に外壁全体を同時に形成出来るため、例えば、上の階では型枠取付作業が、下の階では換気口や窓の取付作業が、同時進行的に遂行出来、作業性が良い。
また、寒中コンクリート工事の施工に有利である。即ち、寒中コンクリートの施工は暖房してコンクリートの凍結を防止しなければならないが、開口部Ｒは断熱効果の高い複合パネルが立設するので、養生も窓などの小面積で良く、従って、開口部Ｒでの複合パネルＰによる暖房効果、養生コスト低減、作業性の面から極めて有利である。
【００１１】
また、帳壁Ｒｗは、外断熱複合パネルＰの下枠５ｂを既に固化した下階の床スラブＳと一体固定の取付金具３，４に係止してパネルＰを立設固定すると共に、該パネルＰの上枠５ａに係止した取付金具３，４を上階の床スラブＳの型枠Ｍ２に組み込み、上階の床スラブ型枠Ｍ２及び耐力壁型枠Ｍ１へのコンクリート打設によって、耐力壁複合パネルＰ０と同時に取付けるのが好ましい（請求項２）。この場合、帳壁複合パネルＰの開口部Ｒへの立設仮固定作業は、固化した下階の床スラブ上の取付金具３，４と上階の床スラブ型枠Ｍ２の取付金具３，４への立設仮固定であるので帳壁複合パネルＰの下端面Ｂｅの支承固定が容易であり、しかも、耐力壁Ｗでの壁型枠Ｍ１工事と同時並行であり、耐力壁パネルＰ０の立設仮固定（型枠固定）と同時であるので、各複合パネルＰ，Ｐ０相互の不陸調整等の寸法調整が容易となる。
【００１２】
また、帳壁Ｒｗの、各外断熱複合パネルＰの取付金具間Ｌｓでの上下間隙ｄ２、耐力壁Ｗの各外断熱複合パネルＰ０上下間隙ｄ２、及び帳壁複合パネルＰと耐力壁複合パネルＰ０の間隙２ｇでの各断熱層Ｐｂ間には、床スラブ型枠Ｍ２及び耐力壁型枠Ｍ１の組み立て時に、各パネルＰ，Ｐ０の断熱層Ｐｂ厚と同幅の断熱材２ａ，２ｂを介在させるのが好ましい（請求項３）。
【００１３】
帳壁Ｒｗの複合パネルＰは、下方パネル上枠５ａと上方パネル下枠５ｂとを取付金具４に図５（Ａ）の如く係止するため、取付金具間Ｌｓに断熱材２ａを介在させれば、帳壁Ｒｗの複合パネルＰの上下間隙への断熱性付与は取付金具３，４部分への現場発泡ウレタンフォーム注入だけで良くなり、複合パネルＰ間への取付金具３，４を採用したための外壁の断熱性能低下の危険も比較的容易な作業によって防止出来る。
また、断熱材２ａの厚さｄ２は、取付金具の取付プレート４ａ上面と下方パネルＰ上枠５ａ上面との寸法ｄ２、即ち上方パネル下枠５ｂと下方パネル上枠５ａとの間隙、と等しいため、床スラブ型枠Ｍ２の型枠合板７ｂも図４（Ａ）の如く、帳壁複合パネルＰの全長に亘って均等に配置可能となり、作業性が良い。
【００１４】
また、耐力壁複合パネルＰ０上下間隙ｄ２にも同様に均等な断熱材２ａを介在させるので、建築物の外壁は、帳壁Ｒｗ部及び耐力壁Ｗ部を通した均一の目地仕上げが可能となり、外壁の断熱性及び外観を損なうことなく形成出来る。
また、図７（Ａ），（Ｂ）の如く、帳壁複合パネルＰと耐力壁複合パネルＰ０間にも断熱材２ｂを介在させるため、両パネルＰ，Ｐ０間には断熱性を損なうことなく小寸の間隙が形成出来、帳壁側複合パネルＰのセメント板Ｐａと耐力壁側の複合パネルＰ０のセメント板Ｐａ´の衝突破損を生じることなく壁型枠Ｍ１組みが容易となる。しかも、各断熱材２ａ，２ｂは共に複合パネルＰ，Ｐ０の断熱層の厚さを有するため、各パネル間隙ｄ２，２ｇ間で各パネルＰ，Ｐ０の有する断熱性を損なうことが避けられる。
尚、各断熱材２ａ，２ｂの介在は、断熱材２ａは複合パネルＰの上枠５ａ、及び複合パネルＰ０の断熱層上端面上に接着し、断熱材２ｂは複合パネルＰの側枠５ｃ外面に貼着するのが作業性から好都合である。
【００１５】
また、床スラブ型枠Ｍ２組み立て時に、帳壁Ｒｗ部では、取付金具４の取付プレート４ａ下面と複合パネル上枠５ａ上面との間に抜去可能の飼木２０を介在させて取付プレート上面４ｆを取付金具間Ｌｓでの断熱材２ａ上面と面一とし、取付プレート上面４ｆから断熱材２ａ上面に亘って型板（型枠合板）７ｂを載置するのが好ましい（請求項４）。
この場合は、床スラブ型枠Ｍ２内へのコンクリート打設時に、断熱材２ａ上面から取付プレート上面４ｆに亘る複合パネルＰの載置面、及び複合パネルＰの上枠５ａと取付金具の取付プレート４ａとの隙間へのコンクリート流入が阻止出来、帳壁パネルＰの下端面Ｂｔは型枠合板７ｂを撤去した後の平滑な面への均斉な載置が可能となり、帳壁パネルＰを張設した後の取付金具部の飼木２０除去のスペースを含む上下パネル間隙への現場発泡ウレタンフォーム注入による断熱性付与作業も設計どおり実施出来る。
【００１６】
また、型板（型枠合板）７ｂを、上面が床スラブ上面Ｓｆから若干突出し、且つ下面が床スラブ上面Ｓｆより小段差ｄ１下方とするのが好ましい（請求項５）。
尚、「床スラブ上面Ｓｆから若干突出」の意は、打設コンクリートの床スラブ上面Ｓｆからの外方への流出を阻止出来、且つ床スラブ上面のコンクリート仕上げ塗作業時に鏝（こて）作業の基準及びストッパー役を果せば良い突出高さであり、１ｍｍ前後の意である。
従って、型枠合板７ｂは、コンクリート打設に伴なう床スラブ上面Ｓｆの形成に有利であると共に、コンクリート固化後の型枠解体除去によって取付プレート４ａ上面４ｆが床スラブ上面Ｓｆより小段差ｄ１下方となるため、帳壁複合パネルＰの下端面Ｂｅが床スラブ上面Ｓｆよりｄ１下方に載置固定出来、複合パネルＰ下端面Ｂｅからの雨水の床スラブ上面Ｓｆへの侵入が阻止出来る。
【００１７】
また、連結ピン６を型板（型枠合板）７ｂ上方から複合パネル上枠５ａに螺入固定して取付金具４を床スラブ型枠前端に組み込み、床スラブのコンクリート打設後に飼木２０及び型板（型枠合板）７ｂを抜去するのが好ましい（請求項６）。
この場合、型枠合板７ｂは適所を断熱材２ａに釘打ちしても固定出来るが、連結ピン６を図４に示す如く全ねじボルトとし、ナット６ｎで型枠合板７ｂを締着すれば、型枠合板７ｂの着脱が容易となり、コンクリート型枠の機能を果す飼木２０及び型枠合板７ｂの設置及び撤去作業が容易となり、取付金具４の床スラブ前端への固定作業が合理化出来る。
【００１８】
また、飼木２０は、内端面２０ｅから中央部までの連結ピン６抜去用の切込溝２０ｓを形成しておき、取付プレート４ａと上枠５ａ間に挿入して連結ピン６に前方から嵌合した後、内端面２０ｅで切込溝２０ｓを破断容易な粘着テープ等の閉止片で閉止して型枠組みするのが好ましい（請求項７）。
この場合は、飼木２０が完全な側面型板の機能を奏すると共に、粘着テープ等の閉止片がコンクリート切込溝２０ｓ内への流入を防ぐため、コンクリート打設後の飼木２０の除去も外方への引抜きであって容易である。
【００１９】
また、開口部Ｒでは、複合パネルＰの下枠５ｂは床スラブＳと一体化固定された取付金具３，４の取付プレート４ａ，４ｂに、上枠５ａは床スラブ型枠Ｍ２に組み込まれた取付金具４の取付プレート４ａに、連結ピン６を介して係止すると共に、該パネルＰの上枠５ａには支持片着脱用長ナット２２ｂを備えた全体厚さ２２ｈが小さい平板金具２２を取付け、該平板金具２２を介して支持片により該パネルＰを立設状態に仮固定するのが好ましい（請求項８）。
尚、平板金具２２の「全体厚さ２２ｈが小さい」の意は、帳壁Ｒｗの下方パネル上枠５ａと上方パネル下枠５ｂとの間隙ｄ２内に納まる意であり、厚さ２２ｈはパネル上下間隙ｄ２と同じかそれ以下である。
【００２０】
また、平板金具２２の支持片着脱用長ナット２２ｂとしては、図９（Ｃ），（Ｄ）に示す如く、長ナット２２ｂを平板部材２２に埋設して溶接固着するのが好ましい。従って、平板金具２２が上方パネル下枠５ｂと下方パネル上枠５ａとの間に干渉せずに固定出来るため、帳壁Ｒｗ部での上下パネル間の所望位置に配置が可能であり、該金具２２の着脱部２２ｂと鳥居型枠組足場等の外方の支持体との間に慣用の壁つなぎ等の支持片を介在させて複合パネルＰの立設状態仮固定が確実、且つ容易に実施出来、作業性が向上する。
【００２１】
また、耐力壁Ｗ部の並設複合パネルＰ０接合部は、断熱層Ｐｂ相互が当接する継目線Ｌｂを、セメント板Ｐａ´相互の継目線Ｌａからずらして一方のセメント板Ｐａ´内面に当接させるのが好ましい（請求項９）。
耐力壁Ｗ部では、複合パネルＰ０が外側壁型枠として機能するため、並設パネルＰ０の断熱層継目線Ｌｂから打設コンクリートが若干漏出するが、継目線Ｌｂがセメント板Ｐａ´内面に当接しているため、コンクリートの継目線Ｌｂからの漏出によるセメント板Ｐａ´間の接続目地への漏出が防止出来、従って、従来難作業であった接続目地の仕上げ前のコンクリート除去及び清掃作業が軽減又は解消出来る。
【００２２】
また、帳壁複合パネルＰ及び耐力壁複合パネルＰ０の上端面Ｂｔ，Ｂｔ´及び下端面Ｂｅ，Ｂｅ´を面一に、且つ、両パネル下端面Ｂｅ，Ｂｅ´を床スラブ上面Ｓｆより若干ｄ１下方で面一に設置するのが好ましい（請求項１０）。
目地シーリングは耐候性及び仕上げの問題により、建築物の耐用期間中に雨水の浸入を招くことがあるが、この場合、各床スラブＳ外側の帳壁複合パネルＰの下端面が床スラブ表面Ｓｆより下方に位置しているため、パネル下端面Ｂｅに侵入した雨水の床スラブ上面Ｓｆへの侵入が阻止出来る。
しかも、帳壁パネルと耐力壁パネルの上下端面が面一であるため、上下パネル間隙ｄ２への断熱材２ａの装着が容易であり、目地が外壁を通した直線となって外観が良く仕上がる。
【００２３】
また、耐力壁Ｗの壁型枠Ｍ１は、両側の型板７ｓを帳壁複合パネルＰの側端部内面に当接形成し、耐力壁コンクリートＷｃで帳壁複合パネルＰと耐力壁複合パネルＰ０の境界部を密閉するのが好ましい（請求項１１）。
この場合、壁型枠Ｍ１の枠組みにあっては、両側型板７ｓを帳壁複合パネルＰの側端部内面に当接するので、型枠組み及び型枠解体が容易、且つ合理化出来ると共に、形成された耐力壁Ｗの側端部と帳壁Ｒｗとの境界に隙間が発生しないため、室内側での壁面がきれいに形成出来て内装仕上げが容易となる。
【００２４】
また、帳壁パネルＰの取付金具は、アンカー片４ｄを備えた取付プレート４ａと連結ピン６とを含み、取付プレート４ａが水平鋼板プレートの前部両側に連結ピン孔Ｈ２を備え、後部中央に大径孔Ｈｍを備えると共に、後部下面からアンカー片４ｄを屈曲突出しており、連結ピン６が全ねじボルトであるのが好ましい（請求項１２）。
この場合、連結ピン６が全ねじであるため取付プレート４ａの連結ピン孔Ｈ２と螺合固定して連結ピン６を複合パネルＰの上下枠５ａ，５ｂの取付孔Ｈ１に嵌入係止させても、パネル上枠５ａの取付孔Ｈ１に連結ピン６を螺合固定し、取付プレート４ａの連結ピン孔Ｈ２に連結ピン６を嵌合係止しても良い。また、大径孔Ｈｍの存在は、取付プレート４ａ下面への打設コンクリートの充填状態の確認に有効であり、取付プレート４ａの上面側及び下面側のコンクリートを連通させ、屈曲突出アンカー片４ｄの存在と相俟って取付金具４の床スラブコンクリートとの強固な固着を達成する。
【００２５】
また、帳壁複合パネルＰの上端立設仮固定に用いる平板金具（Ｐ金具）は、平板部材２２ａと締着用ボルト２３とから成り、平板部材２２ａには、前部上面に長ナット２２ｂを前後方向に、且つ、長ナット２２ｂ下面が平板部材下面２２ｕと面一となるように埋設付設し、金具厚２２ｈが上下壁パネル間隙ｄ２に納まる寸法であるのが好ましい（請求項１３）。
本金具を用いれば、ねじ孔Ｈ４を解して締着ボルト２３をパネル上枠５ａ上に固定し、長ナット２２ｂに外方から壁つなぎのジョイントボルトを螺入固定して、外部の鳥居型枠組足場パイプ等の立設固定物に複合パネルＰ上端を仮固定出来るため、帳壁複合パネルＰの立設仮固定が容易であり、しかも、パネル上枠５ａ上のＰ金具全体の厚みも長ナット２２ｂと下面が平板部材２２の下面２２ｕと面一に埋設するためパネル上端の仮固定に必要な薄型と出来、上下の帳壁複合パネルＰ間の間隙ｄ２に入るため、複合パネルＰの上枠への型枠合板７ｂの固定はＰ金具を取付けた上から支障なく実施出来、しかも、複合パネルＰの本固定（上枠５ａを係止した取付金具４の床スラブＳとの一体化固定）後はジョイントボルトを外方へ取外すだけでＰ金具（平板金具）自体はパネル上枠５ａに固定のままと出来、また、そのままＰ金具を固定しておくことで、足場の保持（転倒防止）にもなり、慣用の壁つなぎの役目もする。
従って、帳壁複合パネルＰの立設仮固定及び型枠組み作業が簡単、且つ容易となる。
【００２６】
【発明の実施の形態】
本発明を、中低層（３階〜９階）の鉄筋コンクリート造壁式構造の住居用又は事務所用の外断熱建築物に適用する。
図１に示す如く、外壁の全ては外断熱乾式密着型複合パネル（図１１（Ａ）の（ロ）のタイプ）を備えたものであり、耐力壁Ｗは、コンクリート壁厚Ｗｔを従来の鉄筋コンクリート造壁式構造建築物に於けるコンクリート壁厚より厚くして壁量を低減することにより、耐力壁Ｗ間には、従来の鉄筋コンクリート造壁式構造建築物に於ける耐力壁に計算出来ない壁部分より大きな開口部Ｒを配置し、耐力壁Ｗ部は図２（Ｂ）に示す外断熱複合パネル（従来の図１１（Ａ）の（ロ）のタイプ）をコンクリート壁外側に一体化固定し、開口部Ｒには外断熱複合パネルのみから成る新規な帳壁を張設する。
【００２７】
〔外断熱複合パネル（図２）〕
帳壁Ｒｗ用複合パネルＰは、図２（Ａ）に示す如く、セメント板Ｐａ、断熱層Ｐｂ、石膏ボードＰｃの積層一体化物であって、セメント板Ｐａは、厚さＴ１が６０ｍｍ、外面板Ｃ１及び内面板Ｃ２が１２．５ｍｍで、幅ａｗが３４ｍｍの上下方向貫通孔ａ１を内部に並列配置した形態に、セメント、ケイ酸質原料及び繊物質原料を用いて押出成形し、オートクレーブ養生した押出成形セメント板である。
また、断熱層Ｐｂは厚さＴ２が７５ｍｍの合成樹脂発泡体（典型的には硬質発泡ウレタンフォーム）であり、内面に１２．５ｍｍ厚の石膏ボードＰｃを有し、上枠５ａ、下枠５ｂ及び側枠５ｃを備え、セメント板Ｐａを上下のＺクリップを介して上下枠に係止したものであり、標準的パネルＰにあっては、板幅Ｌｃが６００ｍｍのセメント板Ｐａの３枚をＺクリップで上枠５ａ及び下枠５ｂに係止した幅Ｌｐが１８００ｍｍのものであり、典型的には、特許第２９９９９８０号の外断熱複合パネルである。
尚、上枠５ａにはねじ孔の取付孔Ｈ１を、下枠５ｂには嵌入孔の取付孔Ｈ１を、各セメント板Ｐａ中央部に２個１対ずつ取付金具用に穿設するが、１階用パネルＰのみは、上枠５ａ、下枠５ｂの取付孔Ｈ１を共にねじ孔とする。
更に上枠５ａにはパネルＰの両端から４５０ｍｍの位置にパネルＰの吊上げに用いるアイボルト用孔Ｈ３を２個穿設する。
【００２８】
また、耐力壁Ｗ用複合パネルＰ０は、図２（Ｂ）に示す如く、セメント板Ｐａ´と断熱層Ｐｂの一体化積層品であり、従来の乾式密着層型の外断熱複合パネルのタイプであって、セメント板Ｐａ´は、板厚Ｔ１´が２５ｍｍで内面に多数の並設条溝ａ２を備えており、断熱層Ｐｂは厚さＴ２が７５ｍｍで、通気層としての条溝ａ２をつぶさないように、且つ、セメント板Ｐａ´とは両側端で１０ｍｍの段差ｄｘを生じるようにセメント板Ｐａ内面に積層一体化したものである。
尚、複合パネルＰ０はコンクリート壁外型枠として用いるため、パネルＰ０の中央部には壁型枠組み用のセパレータ挿入孔を、両端部には皿ボルト挿入孔を穿設しておく。
【００２９】
〔複合パネル取付金具（図９）〕
図９（Ａ）に示す取付金具４は、２階以上の床スラブＳ及びパラペットへの複合パネルＰの取付けに好適なものである。
該金具４は、取付プレート４ａと連結ピン６とから成り、取付プレート４ａは、前後幅Ｗ４が１６０ｍｍ、長さＬ４が１８０ｍｍで９ｍｍ厚の方形鋼板の前部には、前端及び側端から３０ｍｍの位置に１５ｍｍ径の連結ピン孔Ｈ２を２個穿設し、後部中央には、後端より３０ｍｍの位置に２５ｍｍ径の大径孔Ｈｍを穿設すると共に、裏面後部には、後端及び側端から３０ｍｍの位置に直径１３ｍｍで先端に１００ｍｍの屈曲部４ｄ´を形成した長さＬｄが１３０ｍｍのアンカー片４ｄを２本下方へ垂直に溶接固定する。また、連結ピン６は、尖端６ｔを備えた１２ｍｍ径、７５ｍｍ長の全ねじボルトである。
【００３０】
また、図９（Ｂ）に示す取付金具３は１階の床スラブＳへの複合パネルＰの取付けに好適なものである。
該金具３は、プレート受３´、取付プレート４ｂ及び連結ピン６から成り、プレート受３´は、７５ｍｍ×７５ｍｍで厚さ６ｍｍの等辺山形鋼のアングル片で、長さＬ３が２００ｍｍの水平片３ａ及び垂直片３ｂを備え、垂直片３ｂは、両端部に釘孔Ｈｎを配置すると共に、中央部には直径１９ｍｍで先端に５０ｍｍ長の下方屈曲部３ｄ´を形成した長さ１５０ｍｍのアンカー片３ｄを後方へ若干傾斜した形態に溶接固定し、水平片３ａには、下面に底板３ｃ´を当接固定し、両端縁及び後縁から水平片３ａ上面より起立高さ３ｔが２０ｍｍの薄鋼板（１．６ｍｍ厚）製コンクリート止３ｃを備えている。
【００３１】
また、取付プレート４ｂは、前後幅Ｗ４´が１３０ｍｍ、長さＬ４が１８０ｍｍで９ｍｍ厚の方形鋼板であって、前部には、前端及び側端より３０ｍｍの位置に１５ｍｍ径の連結ピン孔Ｈ２を２個穿設し、後部中央には、後端より３０ｍｍの位置に２５ｍｍ径の大径孔Ｈｍを穿設したものである。
また、連結ピン６は、尖端６ｔを備えた１２ｍｍ径、７５ｍｍ長の全ねじボルトである。
【００３２】
〔パネル仮固定用の平板金具（Ｐ金具）〕
パネル仮固定用のＰ金具は、図９（Ｃ），（Ｄ）に示す如く、前後幅２２Ｗが７０ｍｍ、長さ２２Ｌが５０ｍｍで５ｍｍ厚の方形鋼板２２ａであり、前端中央部上面には内径９ｍｍのねじ孔２２ｓを有する外径２２ｄが１６ｍｍの長ナット２２ｂを長ナット下面が方形鋼板２２ａ下面と面一の埋設形態に溶接固定し、後部中央にはボルト２３挿入用の孔Ｈ４を配置し、頭部厚み２３ｈが７ｍｍのボルト２３を使用し、厚さ２２ｈ（１６ｍｍ）を上下各複合パネルＰに配設時の上下間隙ｄ２（２０ｍｍ）内に納まる構造とする。
【００３３】
〔帳壁複合パネルの張設〕
▲１▼．  １階床スラブＳへの取付金具３の固定（図３，図９）：
１階床スラブＳの取付金具としては図９（Ｂ）に示す金具３を採用する。
図３（Ａ）に示す如く、基礎構造体１の外側に、７５ｍｍ厚の断熱材２及び外側型枠合板７ａを桟木８ａを介して慣用のセパレータ９、ＫＰコン１０、軸足１１、フォームタイ１２、リブ座金１３及びナットを用いて組付ける。
尚、２ａは２０ｍｍ厚、７５ｍｍ幅の断熱材であって、断熱材２上に取付金具３のプレート受３´の占有部分Ｌ３（２００ｍｍ）のみを外して、取付金具３間Ｌｓ全てに亘って貼着したものであり、断熱材２ａ上全長に亘って１２ｍｍ厚の型枠合板７ｂを内端が断熱材２ａより１５ｍｍ突出した状態に固定する。
【００３４】
また、プレート受３´は、図３（Ｂ）に示す如くプレート上面３ｆと床スラブ上面Ｓｆとの段差ｄ３（２０ｍｍ）を保持した形態に垂直片３ｂの釘孔Ｈｎを介して型枠合板７ａに固定し、且つアンカー片３ｄを床スラブ型枠内の鉄筋と針金結束し、取付金具３のプレート受３´のスラブ型枠内への配置を完了する。
【００３５】
尚、型枠合板７ｂは幅９０ｍｍ、厚さ１２ｍｍで、厚さはその上面が床スラブ上面Ｓｆより約１ｍｍ突出する厚さであり、内方への突出長１５ｍｍは複合パネルＰの石膏ボードＰｃ厚（１２．５ｍｍ）嵌入用のスペースを形成する長さである。
次いで、床スラブ型枠Ｍ１内にコンクリートを流入し、床スラブ前端上面がプレート受３´の部分ではコンクリート止３ｃで規制され、その他の部分では型枠合板７ｂ内端で規制された状態にコンクリート打設し、コンクリート固化後に型枠合板７ａ及び７ｂを取外し、プレート受３´上面が床スラブ上面Ｓｆよりｄ３（２０ｍｍ）下方位置でアンカー片３ｄを介して床スラブＳの前端に強固に一体化固定する。
【００３６】
▲２▼．  １階帳壁パネルＰの下端取付け（図３，図９）：
帳壁複合パネルＰは、図１の如く３枚のセメント板Ｐａの各中央部で取付金具３に取付けるものであり、図２（Ａ）の如く、上枠５ａ及び下枠５ｂには、それぞれ取付孔Ｈ１を備え、上枠５ａには外端から４５０ｍｍの両位置にアイボルト孔Ｈ３を２個備えている。
まず、連結ピン６を下枠の各取付孔Ｈ１に下端が１５ｍｍ前後突出状態に螺入し、アイボルト孔Ｈ３に螺入した吊上用アイボルト（図示せず）を介して複合パネルＰを位置合せして取付プレート４ｂ（図９（Ｂ））の連結ピン孔Ｈ２に連結ボルト６の下端突出部を嵌入し、複合パネルＰの下端を取付プレート４ｂと共にプレート受３´上面３ｆでの前後左右位置決め（必要なら取付プレート４ｂとプレート受３´上面間に鋼板等の飼物を介在して上下調整）して取付プレート４ｂを大径孔Ｈｍを介してプレート受３´に溶接固定する。
【００３７】
▲３▼．  １階帳壁パネルＰの仮固定（図１０）：
１階の帳壁複合パネルＰは下枠５ｂを１階床スラブＳの取付金具３に固定すると共に、上枠５ａの両側のアイボルト孔Ｈ３にＰ金具２２（図９（Ｃ））のボルト孔Ｈ４を重ねてボルト２３でＰ金具２２を上枠５ａに固定し、Ｐ金具２２の長ナット２２ｂにジョイントボルト先端を螺入すると共に、慣用のターンバックル付壁つなぎ及びクランプを介してジョイントボルトと枠組足場（鳥居型足場）の建枠とを連結して該パネルＰの上枠５ａを仮固定する。
【００３８】
▲４▼．  ２階床スラブＳへの取付金具４の固定（図４）：
１階帳壁複合パネルＰは、１階床スラブＳの取付金具３（図９（Ｂ））に下枠５ｂを固定し、上枠５ａをＰ金具２２を用いて転倒防止仮固定した後、２階床スラブＳの型枠組みにより図９（Ａ）に示す取付金具４を床スラブ型枠Ｍ２内に組み込む。
帳壁部での床スラブ型枠Ｍ２は、図４（Ａ）に示す如く、下面を規制する型枠合板７ｃがパイプサポート１８上の大引き１７上に根太パイプ１６ｃ及び桟木８ｃを介して支持され、前端が複合パネルＰ上端部で規制される。尚、複合パネルＰは、内面上端部のコンクリート床スラブＳと一体化する部分には石膏ボードＰｃが存在しないように予め石膏ボードＰｃ上端部Ｐｔを切除しておき、内側の型枠合板７ｃ上のスラブ引金物１９と外側の横端太パイプ１６ｂとを図４（Ｂ）に示す如く、軸足１１、フォームタイ１２、リブ座金１３、及びナット１４で仮固定する。
【００３９】
また、上枠５ａの取付孔Ｈ１（ねじ孔）には、連結ボルト６を螺入し、上枠５ａ上には、図４（Ｃ）に示す如き前端から中央部まで１５ｍｍ幅の切込溝２６ｓを２本備えた１１ｍｍ厚の飼木２０を、各連結ピン６に切込溝２０ｓを嵌合挿入して内端面２０ｅの切込溝２０ｓ端を粘着テープ２０ｃで閉止し、内端面２０ｅをパネル断熱層内面と面一に設置し、該飼木２０上に取付金具４の取付プレート４ａを連結ピン６に連結ピン孔Ｈ２を介して載置し、取付金具４のアンカー片４ｄをスラブ型枠Ｍ２内の鉄筋と針金で結束固定する。
また、上枠５ａ上の取付金具４の存在しない部分、即ち取付金具間Ｌｓ（図１）には、２０ｍｍ厚、７５ｍｍ幅の断熱材２ａを貼着し、上枠５ａのアイボルト孔Ｈ３部では、断熱材２ａの一部をＰ金具２２が嵌入出来るように内端部をコンクリート止めに残して切除し、Ｐ金具２２をボルト２３でアイボルト孔Ｈ３に止着し、上枠５ａの断熱材２ａ上、取付金具４上、及びＰ金具２２上全長に亘って、型枠合板７ｂ（幅９０ｍｍ、厚さ１２ｍｍ）をパネルＰの断熱層内面より１５ｍｍ内方へ突出させ、且つ上面が床スラブ上面Ｓｆより１ｍｍ上方へ突出した状態に連結ピン６に嵌挿配置し、連結ピン６上端へのナット６ｎの締着により、上枠５ａ、飼木２０、取付プレート４ａ、及び型枠合板７ｂを積層形態に仮固定する。
尚、Ｐ金具２２の取付けは、断熱材２ａをＰ金具幅に亘って切除して取付け、型枠合板７ｂとパネルＰ上縁間にコンクリート流入防止用の粘着テープを施しても良い。
【００４０】
次いで、２階床スラブ型枠Ｍ２内にコンクリート打設し、床スラブＳの上面の鏝（こて）仕上げするが、型枠合板７ｂの床スラブ上面よりの約１ｍｍの突出が塗り作業の基準及びストッパー機能を奏し、鏝塗りは容易、且つきれいに出来る。そしてコンクリート固化後に、ナット６ｎを外して型枠合板７ｂを取外し、取付プレート４ａと上枠５ａ間の飼木２０を前方に引抜く。この場合、飼木２０の内端面２０ｅに止着した粘着テープ２０ｃがコンクリートの切込溝２０ｓ内への流入を阻止するため、且つ粘着テープ２０ｅは破断容易なため、飼木２０の引抜きは比較的容易である。
２階床スラブＳのコンクリート固化により取付金具４が床スラブＳに強固に一体化固定された段階で、１階帳壁複合パネルＰは、上端部Ｐｔの石膏ボードＰｃ切除部分が床スラブＳの前端と一体化すると共に、上枠５ａ及び下枠５ｂが各床スラブＳに強固に保持されて取付固定が完了する。
【００４１】
▲５▼．  ２階帳壁パネルＰの取付け（図４）：
２階床スラブＳのコンクリートが固化し、１階帳壁パネルＰ上の型枠合板７ｂ及び飼木２０を取外した段階で、１階パネル上枠５ａ上の断熱材２ａの前面には、図５に示す如く、断熱材２ａと同厚で前後幅がセメント板内面板ｃ２と同幅のシーリングゴム２１を貼着して防水性及び耐候性を付与する。次いで、２階用帳壁パネルＰは、上枠５ａの各取付孔（ねじ孔）Ｈ１に連結ピン６の下端部を螺入固定し、アイボルト孔Ｈ３にアイボルト（図示せず）を螺入固定してアイボルトを介して吊上げ、１階複合パネルＰの上枠５ａ上に位置決めし、下枠５ｂの各取付孔（嵌入孔）Ｈ１を下方パネルＰの上枠５ａ上から取付プレート４ａの連結ピン孔Ｈ２を貫通して突出した各連結ピン６に嵌合し、パネルＰ下枠５ｂを既に固定されている下方パネルＰの上枠５ａに取付金具４を介して係止し、２階床スラブＳに固定された取付金具４に係止固定する。
該パネルＰの仮固定、及び該パネルＰの上枠５ａの３階床スラブＳへの取付金具４による固定は１階帳壁パネルＰでの固定と同じであり、順次同じ手法で帳壁パネルＰの建上げを遂行する。
【００４２】
▲６▼．  最上階帳壁パネルＰの上端固定（図６）：
図６（Ａ）に示す如く、最上階用の複合パネルＰは、セメント板Ｐａが断熱層Ｐｂより突出した形状であり、石膏ボードＰｃは、他の複合パネルＰ同様コンクリート接合部となるパネル上端部Ｐｔを切除する。そして、上枠５ａの取付孔（ねじ孔）Ｈ１に連結ピンを螺入し、上方への連結ピン６の突出部に取付金具４の連結ピン孔Ｈ２を嵌合してナット６ｎにより取付金具４と上枠５ａを固定する。また、パラペットＳｐを有する床スラブＳの型枠組みにあって、下面型枠は、他の床スラブＳの場合同様サポート１８、根太パイプ１６ｃ、桟木８ｃを用いて型枠合板７ｃで形成するが、パラペットＳｐは、取付プレート上面４ｆより１２ｍｍ高くした内側型枠合板７ａの上下に桟木８ｄを釘固定し、慣用の吊枠金具で下面合板７ｃに固定する。
【００４３】
また、型枠合板７ａと複合パネルＰとは、内側の桟木８ａと外側の横端太１６ｂとを慣用のセパレータ９、フォームタイ１２、リブ座金１３、ナット１４により締着する。勿論、他の床スラブ型枠Ｍ２組み同様に、型枠合板７ｃに固定したスラブ引金物１９とパネル外側の横端太パイプ１６ｂとも締着する。
次いで、パラペットＳｐを含む天井床スラブＳにコンクリート打設し、取付金具４の、アンカー片４ｄのコンクリート内への埋設、及び大径孔Ｈｍの上下へのコンクリート連通により、取付金具４をパラペットＳｐと強固に一体化固定し、パラペット付天井スラブＳの各型枠を解体除去し、最上階帳壁パネルＰの上端固定を完了する。
【００４４】
〔耐力壁Ｗの形成（図７，図８）〕
壁型枠Ｍ１は、図８（Ｃ）の如く、床スラブ型枠Ｍ２と連通しており、床スラブ型枠Ｍ２へのコンクリート打設が同時に壁型枠Ｍ１へのコンクリート打設となるものである。
そして、壁型枠Ｍ１の内側型枠合板７ａと外側の外断熱複合パネルＰ０との締着は従来の図１１（Ｂ）同様に、セパレータ９、ＫＰコン１０、軸足１１、フォームタイ１２、リブ座金１３、ナット１４、Ｐコン１５、縦端太パイプ１６ａ、横端太パイプ１６ｂで実施するが、耐力壁用の複合パネルＰ０は、図２（Ｂ）に示す如く、内面に通気用条溝ａ２を備えた板厚Ｔ１´が２５ｍｍの押出成形セメント板Ｐａ´と層厚Ｔ２が７５ｍｍの断熱層Ｐｂとを段差ｄｘ（１０ｍｍ）だけずらした状態に一体化積層したものであり、従来同様にパネルＰ０の中央縦列状にはセパレータ挿入用孔を、両端縦列状には皿ボルト挿入用孔を設ける。
【００４５】
また、耐力壁パネルＰ０と帳壁パネルＰ間では、両セメント板Ｐａ´，Ｐａ間が２０ｍｍ、両断熱層Ｐｂ，Ｐｂ間が４０ｍｍとし、予め帳壁パネルＰの側枠５ｃ上に７５ｍｍ幅、４０ｍｍ厚の断熱材２ｂを貼着して両パネルＰ０及びＰの各７５ｍｍ厚断熱層Ｐｂ，Ｐｂを７５ｍｍ幅の介在断熱材２ｂで連通し、帳壁パネルＰと耐力壁パネルＰ０の境界部での外壁の外断熱機能低下を阻止する。
【００４６】
また、壁型枠Ｍ１の側端を規制する型枠合板７ｓは、図７（Ｂ）の如く、内側で型枠合板７ａに、外側で帳壁パネルＰの端部の石膏ボードＰｃ上に当接形態に縦桟木８ａ、横棧木８ｄ´を介してパイプサポート１８で固定する。
この段階では、帳壁パネルＰは、下端（下枠）が固化済床スラブコンクリートに一体化固定された取付金具４に連結ピン６を介して係止され、上端は上枠５ａに係止した取付金具が床スラブ内に組み込まれた状態で、スラブ引金物１９による固定、及びＰ金具による仮固定により保持され、耐力壁パネルＰ０は、図８（Ｃ）の如く、壁型枠Ｍ１及び床スラブ型枠Ｍ２の外側型材として保持され、パネルＰ０上端面Ｂｔ´上には帳壁パネルＰ上端面と同じ断熱材２ａ及び型枠合板７ｂが載置されている。
【００４７】
次いで、上方の床スラブ型枠Ｍ２へのコンクリート打設と共に、壁型枠Ｍ１内にもコンクリート打設し、コンクリート固化後に型枠を解体すれば、図８（Ａ），（Ｂ）に示す如く、帳壁パネルＰの石膏ボードＰｃ端面にコンクリート面が当接した耐力壁Ｗが形成出来、耐力壁Ｗが帳壁複合パネルＰと耐力壁複合パネルＰ０の境界隙間を完全に閉止する。尚、両パネルＰ，Ｐ０間での各セメント板Ｐａ，Ｐａ´間の隙間（２０ｍｍ）は仕上げ時にバッカー２４を介してシーリング２５を施すものであり、帳壁複合パネルＰ相互の左右セメント板間隙、及び帳壁パネルＰと耐力壁パネルＰ０を通した上下セメント板間の間隙には慣用の耐候性目地仕上げを施す。
また、室内側では、石膏ボードＰｃに更に仕上げ張着の石膏ボードＰｃ´を貼着し、床スラブ型枠Ｍ２で生じた隙間Ｅ（図５（Ｂ），図６（Ｂ））を閉止し、帳壁Ｒｗ内面をきれいに仕上げると共に、耐火性を増強する。
【００４８】
上述の実施態様によれば、帳壁複合パネルＰの取付けは、床スラブＳに強固に固定された取付金具の連結ピン６に下枠５ｂの取付孔Ｈ１を挿通係止して仮固定するため、作業が容易である。
また、１階帳壁パネルＰの取付位置は帳壁外壁の建付けに決定的な意味を有するが、下枠５ｂと係止した取付プレート４ｂを前後左右調整しながらプレート受３´に取付けるため、１階帳壁パネルＰは不陸調整等必要な微調整の下に正確に取付けることが出来、従って、１階帳壁パネルＰの並びを基準として順次上層階の帳壁パネル張設もきれいに建付けが出来、耐力壁Ｗ部と揃った高品質の帳壁Ｒｗが形成出来る。勿論、基礎構造体１を含む１階床スラブＳを高品質に、且つ取付金具の１階床スラブＳへの正確な固定をすれば、１階床スラブのパネル取付金具として、他の階用と同一の図９（Ａ）に示す取付金具４を使用することも出来る。
【００４９】
また、帳壁パネルＰの立設仮固定段階で、順次パネル間に断熱材２ａ、２ｂ、シーリングゴム２１等を貼着していくため、外壁としての断熱性対処作業が合理的に遂行出来る。また、取付金具４の固定時に飼木２０を採用したため、取付金具４の適正位置への取付け、及びコンクリートの流入阻止が出来、取付金具４部分への後仕上げの現場発泡ウレタンフォーム充填が好適に実施出来る。そして、取付金具４の床スラブＳ型枠との組付け時に型枠合板７ｂを採用したことにより、各帳壁パネルＰの下端面Ｂｅを床スラブ上面Ｓｆよりｄ１（１１ｍｍ）下方に設置出来、帳壁パネル下端面Ｂｅからの雨水の床スラブＳ上への侵入も完全に防止出来る。
【００５０】
また、耐力壁Ｗ部にあっても、各パネルＰ０の衝接端縁で断熱層間の継目線Ｌｂをセメント板Ｐａ´間の継目線とずらしたため、壁コンクリートのセメント板Ｐａ´の継目線Ｌａからの漏出も防止出来、後工程の外壁セメント板Ｐａ´の仕上げ清掃作業の負担も軽減出来る。
また、耐力壁Ｗ部と帳壁Ｒｗ部の境界にあっても、耐力壁コンクリートを帳壁パネルの石膏ボードＰｃに当接、重合形態にコンクリート打設するため、室内側での帳壁パネルＰと耐力壁Ｗのコンクリートの境界がきれいに仕上がり、内装作業が容易となる。
【００５１】
〔その他〕
帳壁パネルＰの立設仮固定は、耐力壁Ｗの壁型枠Ｍ１の組立時に、帳壁パネルＰ部の横端太パイプ１６ｂを壁型枠の外側横端太１６ｂと連係設置することにより合理化出来る。この場合、帳壁用複合パネルＰと耐力壁用複合パネルＰ０に同一物、又は同一厚みの外断熱複合パネルを採用すれば、帳壁パネルの壁型枠との一体化仮固定が容易となる。
また、作業環境が良ければスラブ引金物１９を有効利用して仮止め用Ｐ金具を用いないで帳壁パネルＰの仮固定も可能である。
また、Ｐ金具２２の前後幅２２Ｗを短寸化し、帳壁パネルＰ上枠５ａのアイボルト孔Ｈ３の配置位置を適正に変更すれば、帳壁パネルＰ上枠５ａ上のＰ金具取付用の断熱材２ａの内端部をコンクリート止めとして残す切除が容易となり、Ｐ金具配置部での型枠合板７ｂ下面とパネル上枠５ａ間へのコンクリート流入防止対策が不要となる。
【００５２】
【発明の効果】
耐力壁Ｗの複合パネルＰ０と帳壁Ｒｗの複合パネルＰとは、壁コンクリート打設前に同時に型枠工で横並びに立設保持するため、パネル相互間の位置調整、不陸調整も可能であり、しかも、壁コンクリート打設によって帳壁Ｒｗが耐力壁Ｗと同時に固定形成されるため、帳壁ＲｗのパネルＰと耐力壁ＷのパネルＰ０との関係、及び帳壁パネルＰ相互の関係が連結良く、寸法歪も無く、きれいに仕上がる。
また、各階毎に外壁全体を同時に形成するため、例えば、上の階では型枠取付作業が、下の階では換気口や窓の取付作業が同時に並行して遂行出来、作業性が良い。
【００５３】
また、冬季等、寒中でのコンクリート工事の施工に有利である。即ち、寒中でのコンクリート施工は暖房してコンクリートの凍結を防止しなければならないが、外壁の開口部Ｒは断熱性の良い複合パネルが立設するので、コンクリート養生も窓などの小面積で良く、従って、開口部Ｒでの複合パネルＰによる暖房効果、養生コスト低減、作業性の面から極めて有利である。
従って、本発明によれば、鉄筋コンクリート造壁式構造建築物でありながら、非耐力壁部は全て開口部Ｒとして帳壁とするため、従来の鉄筋コンクリート造壁式構造建築物に比して壁型枠組みが大幅に低減（４０〜５０％減）出来、型枠使用量及び型枠工作業量が従来の型枠工より大幅に低減出来、該建築物に於ける建築コスト中での比率の高い型枠工の合理化により、鉄筋コンクリート造壁式構造の外断熱建築物が画期的な低コストで提供可能となる。
【図面の簡単な説明】
【図１】本発明の外壁構造説明図。
【図２】本発明に使用する複合パネル説明図であって、（Ａ）は帳壁用パネル、（Ｂ）は耐力壁用パネルである。
【図３】本発明の１階床スラブへの取付金具の固定説明図であって、（Ａ）は斜視図、（Ｂ）は縦断面図である。
【図４】本発明の中間床スラブへの取付金具の固定説明図であって、（Ａ）は斜視図、（Ｂ）は縦断面図、（Ｃ）は使用飼木の斜視図である。
【図５】本発明中間床スラブでの帳壁パネル取付構造説明図であって、（Ａ）は取付金具部の縦断面図であり、（Ｂ）は取付金具の存在した部分の縦断側面図である。
【図６】本発明の最上階部での取付金具の固定説明図であって、（Ａ）は斜視図、（Ｂ）は縦断面図である。
【図７】耐力壁の型枠組み説明図であって、（Ａ）は横断面図、（Ｂ）は（Ａ）図のＢ部拡大図、（Ｃ）は斜視図である。
【図８】耐力壁の説明図であって、（Ａ）は耐力壁Ｗと帳壁Ｒｗの接続部斜視図、（Ｂ）は（Ａ）図のＢ部拡大図、（Ｃ）は耐力壁型枠Ｍ１と床スラブ型枠Ｍ２の関係を示す縦断面図である。
【図９】金具の説明図であって、（Ａ）は中間床スラブ用取付金具４の斜視図、（Ｂ）は１階床スラブ用取付金具の分解斜視図、（Ｃ）はＰ金具分解斜視図、（Ｄ）はＰ金具正面図である。
【図１０】パネル上端仮固定の説明図であって、（Ａ）はパネル上枠を係止した状態側面図、（Ｂ）は用いる金具の分解側面図である。
【図１１】従来の鉄筋コンクリート外断熱壁の説明図であって、（Ａ）は各種の壁タイプの断面図、（Ｂ）は壁型枠の横断面図である。
【符号の説明】
１：基礎構造体、    ２，２ａ，２ｂ：断熱材、    ３，４：取付金具、
３ａ：水平片、      ３ｂ：垂直片、      ３ｃ：コンクリート止、
３ｄ，４ｄ：アンカー片、    ４ａ，４ｂ：取付プレート、    ５ａ：上枠、
５ｂ：下枠、    ５ｃ：側枠、    ６：連結ピン、    ６ｎ，１４：ナット、
７ａ，７ｂ，７ｃ，７ｓ：型板（型枠合板）、８ａ，８ｃ，８ｄ，８ｄ´：桟木
９：セパレータ、  １０：ＫＰコン、  １１：軸足、  １２：フォームタイ、
１３：リブ座金、    １５：Ｐコン、  １６ａ：縦端太、  １６ｂ：横端太、
１６ｃ：根太、    １７：大引き、    １８：パイプサポート、
１９：スラブ引金物、    ２０：飼木、    ２１：シーリングゴム、
２２：平板金具（Ｐ金具）、    ２２ａ：平板部材、    ２２ｂ：長ナット、
２２ｓ：ねじ孔、  ２３：ボルト、  ２４：バッカー、  ２５：シーリング、
２６：現場発泡断熱材、    Ｈ１：取付孔、    Ｈ２：連結ピン孔、
Ｈ３：アイボルト孔、    Ｈｎ：釘孔、    Ｈｍ：大径孔、  Ｓ：床スラブ、
Ｓｆ：床スラブ上面、    Ｐ：帳壁複合パネル（外断熱複合パネル）、
Ｐ０：耐力壁複合パネル（外断熱複合パネル）、Ｐａ，Ｐａ´：セメント板、
Ｐｂ：断熱層、    Ｐｃ，Ｐｃ´：内装材（石膏ボード）、
Ｒ：開口部、      Ｗ：耐力壁、      Ｒｗ：帳壁
【図１】
0003599240.tif 000002
【図２】
0003599240.tif 000003
【図３】
0003599240.tif 000004
【図４】
0003599240.tif 000005
【図５】
0003599240.tif 000006
【図６】
0003599240.tif 000007
【図７】
0003599240.tif 000008
【図８】
0003599240.tif 000009
【図９】
0003599240.tif 000010
【図１０】
0003599240.tif 000011
【図１１】
0003599240.tif 000012